(57)【要約】      （修正有）【課題】本発明は集中線などの放射状の線画の作画において、紙上を傷めたり汚すこと無く、正確且つ容易に線を描くことができる、新規な作画用補助器具を提供する。【解決手段】弱粘着性のフィルムを下面に有し、フィルムにより紙上に固定する台座１と、台座１にはめ込み得る、台座１上の回転軸４を中心に回転する、回転軸４から放射方向に直線部分５を少なくとも１つ有する定規板２で構成される。紙上の集中線の中心と台座１上の回転軸４が合わさるように台座１を固定し、定規板２を台座１にはめこみ回転することで、集中線の中心からずれることなく定規板２を回転することができる。台座１は弱粘着性のフィルムにより紙上を傷めずに固定することができ、また容易に着脱することがきる。定規板２は回転軸４から放射方向に延びた直線部分５を定規として線を描く。直線部分５に端（エッジ）を持つことで、作画中にインクなどで紙上が汚れることを防ぐ。【選択図】図１
2013126724.tif 000002
【特許請求の範囲】
【請求項１】
弱粘着性のフィルム３を下面に有し、前記フィルム３により紙上に固定する台座１と、前記台座１にはめ込み得る、前記台座１上の回転軸４を中心に回転し、回転軸４から放射方向に、端（エッジ）６を持つ直線部分５を少なくとも１つ有する定規板２で構成されることを特徴とする、作画用補助器具。
【発明の詳細な説明】
【技術分野】
【０００１】
本発明は、漫画、イラストレーションに描かれる集中線の作画において、紙上を傷めたり、汚すこと無く、正確且つ用意に作画することに使用する、作画用補助器具に関するものである。
【背景技術】
【０００２】
集中線とは、漫画、イラストレーションにおける強調表現（効果線）の１つで、絵の迫力、人物の感情表現、読者の視線を誘導するなどの効果を目的として作画される。
【０００３】
従来の集中線の作画は、紙上の集中線の中心となる位置に印をつけ、その印にずれないように定規を当て、その印を中心に定規を回転させながら、線を描いていく。
この方法は、線を描く際に定規の固定が不十分で定規がずれる、定規を回転する際に正しく印に当てられず線がばらついていく、などの誤差を起こしやすい。これを防止するには、定規の固定や回転などに、高度なテクニックが必要であり、作画に非常に時間がかかる作業である。
【０００４】
この問題を補う方法として、紙上の集中線の中心に画鋲などのピンを固定し、そのピンを支点にして定規を回転する、などの方法が一般的にみられる。しかし、この方法はピンで紙上に穴を開け紙上を傷めるため、作画後に紙上を補修する問題がある。
【０００５】
この問題を解決する考案として、集中線の中心に角のある重しを置き、消失点に定規が回転するための支点を作る作図用補助器具がある。
紙上を傷めずに定規が回転するための支点を作ることを実現しているが、集中線はその中心から多方向に線を描くため、定規の回転範囲と重しの位置が重なる場合は、作画中にこの作図用補助器具を置き直す必要がある。(特許文献１参照)
【０００６】
紙上を傷つけず、多方向に線を描くことのできる発明として、真円形の孔を有する枠板と、孔に摺接する半円形の切欠部をもつ円板で構成される分度器がある。
集中線の中心に円板の中心を合わせて枠板を固定し、半円形の切欠部の直径方向を定規として線を書き、円板を回転することで、消失点からずれることなく定規が回転することを実現している。
しかし、線の範囲が半円形の切欠部の直径までに限定され、一般の漫画用原稿用紙（A4,B4サイズ）で範囲の広い集中線を描くためには、枠板、円板ともこの原稿用紙のサイズ以上に大型化する必要があり、不便である。 (特許文献２参照)
【０００７】
紙上を傷つけず、消失点から多方向に線を描くことのでき、コンパクトにする問題を解決する考案として、紙上に据付する基板と、基板に備えた回転軸を中心に自在に回転する定規板とで構成された多機能定規がある。
これは、紙上を傷めず、消失点の中心を定規が回転することを実現している。
しかし、定規板を回転する際は、据付された基板を両手のどちらかで固定する必要があり、不便である。また、基板と定規板の着脱が容易でないと、作画中にインクなどで定規板が汚れた際に、紙上を汚すことなく、定規板のみを速やかに掃除することができない。(特許文献３参照)
【先行技術文献】
【特許文献】
【０００８】
【特許文献１】実用新案登録第3130799号
【特許文献２】特開平8-122003
【特許文献３】実用新案登録第3062949号
【発明の概要】
【発明が解決しようとする課題】
【０００９】
本発明は、集中線などの、特定の点を中心に放射状の線を描く作画において、従来の方法や発明、考案では十分に解決できていなかった、紙上を傷める事無く、線を描くごとに集中線の中心に定規を当てて定規の位置を確認する手間を減らし、集中線の中心を正確且つ容易に回転できる、コンパクトな作画用補助器具を実現することを目的とする。
【課題を解決するための手段】
【００１０】
本発明は、弱粘着性のフィルム３を下面に有し、前記フィルム３により紙上に固定する台座１と、前記台座１にはめ込み得る、前記台座１上の回転軸４を中心に回転し、回転軸４から放射方向に、端（エッジ）６をもつ直線部分５を少なくとも１つ有する定規板２で構成されることを特徴とする。
【発明の効果】
【００１１】
本発明により、紙上の集中線の中心に回転軸４が合わさるように台座１を固定し、台座１に定規板２をはめこむことで、台座１上の回転軸４を中心に定規板２を集中線の中心からずれることなく回転することができる。
【００１２】
台座１は弱粘着性のフィルム３を下面に有することで、紙上を傷めずに紙上に固定することができる。また、フィルム３を弱粘着性にすることで、台座１を紙上から容易に着脱することがきる。
【００１３】
定規板２は、回転軸４から放射方向に延びた直線部分５を集中線用の定規とし、線を描く。直線部分５は端（エッジ）６をもつことで、作画中にインクが紙上と定規板２の隙間に入り込み、紙上が汚れることを防ぐ。
【図面の簡単な説明】
【００１４】
【図１】本発明による作画用補助器具の発明を示す上面図と補足である。
【図２】本発明による作画用補助器具の発明を示す下面図である。
【図３】本発明による作画用補助器具の発明における、台座１の側面図である。
【図４】本発明による作画用補助器具の発明における、定規板２の直線部分５の断面図である。
【図５】本発明による作画用補助器具の台座１と定規板２のはめこみ例１を示す断面図である。
【図６】本発明による作画用補助器具の台座１と定規板２のはめこみ例2を示す断面図である。
【図７】本発明による作画用補助器具の実施例を示す上面図である。
【図８】本発明による作画用補助器具の実施例を示す下面図である。
【図９】本発明による作画用補助器具の実施例における使用例である。
【発明を実施するための形態】
【００１５】
以下、本発明を図に基づいて説明する。
【００１６】
図面において符号１は紙上に固定する台座である。紙上に固定できるように、下面には下記弱粘着性のフィルム（符号３）が貼り付いている。
符号２は定規板である。前記台座（符号１）とはめこみ、下記回転軸（符号４）を中心に回転する構造を持つ。
符号３は弱粘着性のフィルムで、前記台座（符号１）の下面に貼り付いている。
符号４は前記定規板（符号２）の回転軸であり、台座１上にある。また、紙上の集中線の中心と合わせる位置でもある。
符号５は前記定規板（符号２）の持つ、前記回転軸（符号４）から放射方向の直線部分である。
符号６は前記直線部分(符号５)と同位置にある端（エッジ）である。
符号７は前記台座（符号１）上に付した、前記回転軸（符号４）と紙上の集中線の中心に合わせるための印である。
符号８は前記台座（符号１）と前記定規板（符号２）のはめこみ例における、前記定規板（符号２）が備えた前記台座（符号１）にはめ込み、回転するための突起である。
符号９は前記台座（符号１）と前記定規板（符号２）のはめこみ例における、前記台座（符号１）が備えた前記定規板（符号２）をはめ込み回転するための杭またはピンである。
【００１７】
図１、図２、図３、図４において、本発明の実施の形態を示す。
【００１８】
図１、図２、図３に示すように、台座1は定規板２をはめこむために、上方に円形の段状構造になっている。回転軸４は台座１の中心にあり、印７を付している。また、下面には弱粘着性のフィルム３が貼りついている。
定規板２は台座１にはめ込む構造を持ち、回転軸４から放射方向の直線部分5を持つ。
【００１９】
図１、図２に示すように台座１上の定規板２が回転する回転軸４の位置に印７を付すことで、台座１を正確に集中線の中心に合わせて固定することができる。
【００２０】
図２、図４に示すように、定規板２は直線部分５に端（エッジ）６を持つ。この構造により線を描く際にインクなどが紙上と定規の隙間に入り込み、紙上が汚れることを防ぐ。
【００２１】
図５、図６において、台座１と定規板２のはめこみ例を示す。
【００２２】
図５では、台座１に回転軸４の中心とした円形の窪みを作り、定規板２には、その窪みにはめ込むよう円形の突起８をとりつけている。定規板２は突起８を台座１の窪みにはめこみ、回転する。
図６では、台座１上の回転軸４の位置に円形の杭またはピン９を取り付け、定規板２はその杭またはピン９にはめ込むための孔を穿く。定規板２はその杭またはピン９にはめこみ、回転する。
【００２３】
こうして構成された作画用補助器具は、厚さ1.5mm以上、全長200mm以上を有する。
【００２４】
本形態において、前記台座１、定規版２、弱粘着性のフィルム３は紙上を確認できるよう透明または半透明の素材を使用する。
こうすることで、作画中に紙上の集中線の対象や描いた線などを目視できる。
台座１、定規版２の素材は市販の透明アクリル板、透明ブチレート板などが使用可能である。
弱粘着性のフィルム３の素材は、市販のすべり止め用透明フィルム、仮固定用透明フィルムなどが使用可能である。
【００２５】
定規板２の直線部分５以上の長さの集中線を描く場合は、市販の直定規を定規板２の上面に回転軸４に接するように市販のテープなどで固定することで、集中線を描く範囲を延長することができる。また、定規板２の上面に、市販の雲形定規や楕円定規などを中心軸４に接するように固定することで、曲線状の集中線なども描くことができる。
【００２６】
台座１、定規板２には角度や長さを測るために目盛を付すと良い。
本発明で長さや角度を測ることが可能になる。
【実施例】
【００２７】
図７、図８において、本発明の実施例を示す。
【００２８】
図７、図８において、台座１は上方に円形の段状構造になっており、定規板２の回転する回転軸上に印7を付している。回転軸４は台座１の中心にある。また、下面には弱粘着性のフィルム３が貼りついている。
【００２９】
図７、図８において、定規板２は回転軸４を中心とした扇形の定規板になっている。この形態にすることで、定規板２の持つ直線部分５を２つ有することができる。また、台座１にはめ込み回転するための構造として、扇形の中心部分は輪状になっている。
【００３０】
図９において、実施例の使用例を示す。
【００３１】
図９において、紙上の集中線の中心に、台座１の印７が合わさるように固定する。
定規板２を台座１にはめ込み、定規板２を回転させながら直線部分５に沿って線を描く。
線を描き終わったら、定規板２、台座１の順に紙上から外す。
【産業上の利用可能性】
【００３２】
本発明は漫画・イラストレーションでの集中線の作画だけでなく、集中線と同様に特定の点を中心に線を描く、透視図法などの作図用補助器具としても利用できる。
また、放射状に線を描く図面の作成や裁断などの加工用補助器具としても利用できる。
【符号の説明】
【００３３】
１  台座
２  定規板
３  弱粘着性のフィルム
４  定規板が回転する回転軸
５  定規板の持つ、回転軸４から放射方向の直線部分
６  端（エッジ）
７  印
８  突起
９  杭またはピン
【図１】
2013126724.tif 000003
【図２】
2013126724.tif 000004
【図３】
2013126724.tif 000005
【図４】
2013126724.tif 000006
【図５】
2013126724.tif 000007
【図６】
2013126724.tif 000008
【図７】
2013126724.tif 000009
【図８】
2013126724.tif 000010
【図９】
2013126724.tif 000011
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
弱粘着性のフィルム３を下面に有し、前記フィルム３により紙上に固定する台座１と、前記台座１に上面よりはめ込み得る、前記台座１上の回転軸４を中心に回転し、回転軸４から放射方向に、下面側にくぼんだ段差を持つ端（エッジ）６を有する直線部分５を少なくとも１つ有する定規板２で構成されることを特徴とする、作画用補助器具。
【手続補正２】
【補正対象書類名】明細書
【補正対象項目名】００１０
【補正方法】変更
【補正の内容】
【００１０】本発明は、弱粘着性のフィルム３を下面に有し、前記フィルム３により紙上に固定する台座１と、前記台座１に上面よりはめ込み得る、前記台座１上の回転軸４を中心に回転し、回転軸４から放射方向に、下面側にくぼんだ段差を持つ端（エッジ）６をもつ直線部分５を少なくとも１つ有する定規板２で構成されることを特徴とする。